(57)【要約】【課題】複雑な駆動回路を用いることなく、直列接続された複数の発光ダイオードの光量を発光ダイオード毎に調整できる原稿読取装置を提供すること。【解決手段】原稿読取装置は、読取開始位置から読取終了位置へ向かう副走査方向と直交する主走査方向に沿って原稿の画像を順次ライン状に走査する走査手段を備え、走査手段は主走査方向の両端に互いに対向するように設けられた光源部と、対向する光源部の間に延び光源部から発せられた光を主走査方向に導く導光部とを有し、各光源部は基板と、基板上に搭載され直列接続された複数の発光ダイオードとからなり、基板は発光ダイオードの放熱量を発光ダイオード毎に調整する放熱量調整手段を有する。【選択図】図５
2010068031.tif 000002
【特許請求の範囲】
【請求項１】
読取開始位置から読取終了位置へ向かう副走査方向と直交する主走査方向に沿って原稿の画像を順次ライン状に走査する走査手段を備え、走査手段は主走査方向の両端に互いに対向するように設けられた光源部と、対向する光源部の間に延び光源部から発せられた光を主走査方向に導く導光部とを有し、各光源部は基板と、基板上に搭載され直列接続された複数の発光ダイオードとからなり、基板は発光ダイオードの放熱量を発光ダイオード毎に調整する放熱量調整手段を有する原稿読取装置。
【請求項２】
放熱量調整手段は放熱を促進すべき発光ダイオードの近傍に基板を貫通するように形成されたスルーホールからなる請求項１に記載の原稿読取装置。
【請求項３】
放熱量調整手段はスルーホールが形成された領域の基板の表面および裏面に部分的に形成された金属層を有し、スルーホールは基板の表面および裏面に形成された金属層を繋ぐようにその内面に金属層が形成されてなる請求項２に記載の原稿読取装置。
【請求項４】
基板は内部に金属層を有する多層基板である請求項１〜３のいずれか１つに記載の原稿読取装置。
【請求項５】
各光源部は基板を挟み込んで固定する一対の金属製の固定部材を有する請求項１〜４のいずれか１つに記載の原稿読取装置。
【請求項６】
直列接続された複数の発光ダイオードは副走査方向に沿って並んで配置され、放熱量調整手段は副走査方向の上流側に配置された発光ダイオードよりも副走査方向の下流側に配置された発光ダイオードの放熱が促進されるように放熱量を調整する請求項１〜５のいずれか１つに記載の原稿読取装置。
【請求項７】
直列接続された複数の発光ダイオードは定電流回路に接続される請求項１〜６のいずれか１つに記載の原稿読取装置。
【請求項８】
請求項１〜７のいずれか１つに記載の原稿読取装置を備えた画像形成装置。
【発明の詳細な説明】
【技術分野】
【０００１】
この発明は、原稿読取装置およびそれを備えた画像形成装置に関し、詳しくは光源に発光ダイオードを用いた原稿読取装置とそれを備えた画像形成装置に関する。
【背景技術】
【０００２】
この発明に関連する従来技術としては、直列接続された複数の発光ダイオードを光源とし、バッテリを電源とする表示灯であって、該バッテリ電源と前記発光ダイオードの間に、照明モード選択手段と、前記発光ダイオードに定電流を供給する定電流ダイオードを直列に接続したものが知られている（例えば、特許文献１参照）。
【０００３】
【特許文献１】特開２００７−２００８２８号公報
【発明の開示】
【発明が解決しようとする課題】
【０００４】
従来より、原稿に光を照射し、原稿から反射してきた光をミラーやレンズなどの光学部品を介してＣＣＤなどの光電変換素子に結像させ、電子的な画像情報に変換する原稿読取装置が用いられている。
このような従来の原稿読取装置において、原稿を照射する光源としては、冷陰極管が一般的に用いられてきた。
【０００５】
しかしながら、冷陰極管は光量が安定するまでの立ち上がりに時間を要し、光量が安定するまで読取を開始できないという問題がある。
また、駆動回路にインバータを必要とするため駆動回路が複雑になるばかりでなく、小型化し難いという問題もある。
【０００６】
このような問題を解消するため、近年、原稿読取装置の光源として発光ダイオード（light-emitting diode）（ＬＥＤ）を用いることが提案されている。
ＬＥＤは、冷陰極管と異なり、通電すると直ちに一定の光量を発し、駆動回路にもインバータを必要としない。また、ＬＥＤは、消費電力や寿命の点でも冷陰極管より優れている。
【０００７】
しかしながら、ＬＥＤは、冷陰極管ような管状ではなく、点状の光源であるため、通常、走査手段の主走査方向の端に配置され、発光を導光板を用いて主走査方向に導くことにより、原稿の全幅を照射している。
また、１方向からのみの照射では読み取られた原稿の画像に影が生じ易いため、通常、主走査方向に沿って平行に間隔を空けて並ぶように、副走査方向の上流側と下流側にそれぞれ導光板を設け、副走査方向の上流側と下流側の２方向から原稿を照射している。
【０００８】
この場合、走査手段の主走査方向の端には、導光板の数に応じて少なくとも２つのＬＥＤが副走査方向に沿って並べられることになる。
副走査方向に沿って並べられたＬＥＤが直列接続された場合、電流値はいずれのＬＥＤも同一となり、光量は同一となるはずである。
しかしながら、実際にはＬＥＤ毎の発光量のばらつきにより、上流側のＬＥＤの光量が下流側のＬＥＤの光量よりも大きくなる場合がある。
この場合、図１２に示すように、読取開始位置から読取終了位置へ向かう副走査方向Ｂの上流側から照射される光Ｌ１の光量が、副走査方向Ｂの下流側から照射される光Ｌ２の光量よりも大きくなり、原稿Ｄの後端部Ｅの読取画像に影が生じてしまう。
【０００９】
原稿Ｄの後端部Ｅの読取画像に影が生ずることを防止するには、図１３に示すように、副走査方向Ｂの下流側から照射される光Ｌ２の光量が、副走査方向Ｂの上流側から照射される光Ｌ１の光量よりも大きくなければならない。
そのためには、副走査方向の下流側に配置されたＬＥＤの光量が、上流側に配置されたＬＥＤの光量よりも大きくなるように設計する必要がある。
【００１０】
ＬＥＤの直列接続をやめて、下流側に配置されたＬＥＤに、上流側のＬＥＤよりも大きな値の電流を流すようにすれば、下流側に配置されたＬＥＤの光量を上流側に配置されたＬＥＤの光量よりも大きくすることができる。
しかしながら、上記のようにＬＥＤの直列接続をやめ、ＬＥＤ毎に所望の異なる値の電流を流そうとすれば、ＬＥＤの駆動回路が複雑になる。
このため、駆動回路の複雑化を招くことなく、複数の発光ダイオードの光量を発光ダイオード毎に調整できるような手法が求められている。
【００１１】
この発明は以上のような事情を考慮してなされたものであり、複雑な駆動回路を用いることなく、直列接続された複数の発光ダイオードの光量を発光ダイオード毎に調整できる原稿読取装置とそれを備えた画像形成装置を提供するものである。
【課題を解決するための手段】
【００１２】
この発明は、読取開始位置から読取終了位置へ向かう副走査方向と直交する主走査方向に沿って原稿の画像を順次ライン状に走査する走査手段を備え、走査手段は主走査方向の両端に互いに対向するように設けられた光源部と、対向する光源部の間に延び光源部から発せられた光を主走査方向に導く導光部とを有し、各光源部は基板と、基板上に搭載され直列接続された複数の発光ダイオードとからなり、基板は発光ダイオードの放熱量を発光ダイオード毎に調整する放熱量調整手段を有する原稿読取装置を提供するものである。
【発明の効果】
【００１３】
この発明の原稿読取装置によれば、直列接続された複数の発光ダイオードを搭載する基板が、発光ダイオードの放熱量を発光ダイオード毎に調整する放熱量調整手段を有するので、駆動回路の複雑化を招くことなく、直列接続された複数の発光ダイオードの光量を発光ダイオード毎に調整できる。
【００１４】
つまり、発光ダイオードは、発熱により光量が低下する特性があるので、直列接続された複数の発光ダイオードのうち、光量を大きく設定したい発光ダイオードの放熱が促進されるように放熱量を調整すれば、当該発光ダイオードの光量は発熱により光量が低下した他の発光ダイオードよりも相対的に大きくなる。よって、発光ダイオードの放熱量を発光ダイオード毎に調整することにより、複数の発光ダイオードの光量を発光ダイオード毎に調整できる。
【発明を実施するための最良の形態】
【００１５】
この発明による原稿読取装置は、読取開始位置から読取終了位置へ向かう副走査方向と直交する主走査方向に沿って原稿の画像を順次ライン状に走査する走査手段を備え、走査手段は主走査方向の両端に互いに対向するように設けられた光源部と、対向する光源部の間に延び光源部から発せられた光を主走査方向に導く導光部とを有し、各光源部は基板と、基板上に搭載され直列接続された複数の発光ダイオードとからなり、基板は発光ダイオードの放熱量を発光ダイオード毎に調整する放熱量調整手段を有することを特徴とする。
【００１６】
この発明による原稿読取装置において、走査手段とは、上記のとおり、読取開始位置から読取終了位置へ向かう副走査方向と直交する主走査方向に沿って原稿の画像を順次ライン状に走査するものを意味する。
したがって、走査手段は、静止して載置された原稿に対し、副走査方向へ沿って移動しつつ原稿の画像を走査してもよいし、或いは、走査手段上に搬送されてくる原稿の画像を同じ位置に静止したまま走査してもよい。
よって、読取開始位置および読取終了位置とは、走査手段が副走査方向に移動しつつ原稿の画像を走査する原稿静止方式では、文字どおり、走査手段が原稿の走査を開始する位置と、副走査方向に沿って移動した走査手段が原稿の走査を終了する位置をそれぞれ意味し、走査手段が同じ位置に静止したまま搬送されてくる原稿の画像を走査する原稿移動方式では、走査手段が搬送されてくる原稿の走査を開始し終了する相対的な位置を意味する。
【００１７】
この発明による原稿読取装置において、放熱量調整手段は放熱を促進すべき発光ダイオードの近傍に基板を貫通するように形成されたスルーホールからなっていてもよい。
このような構成によれば、発光ダイオードの発熱がスルーホールを介して基板の表面から裏面へも伝わり、基板の表面だけでなく裏面からも発光素子の発熱を放散できるようになる。
このため、スルーホールの形成領域と数に応じて発光ダイオードの放熱量を制御でき、複数の発光ダイオードの放熱量を発光ダイオード毎に調整できるようになる。
【００１８】
放熱量調整手段が基板を貫通するように形成されたスルーホールからなる上記構成において、放熱量調整手段はスルーホールが形成された領域の基板の表面および裏面に部分的に形成された金属層を有し、スルーホールは基板の表面および裏面に形成された金属層を繋ぐようにその内面に金属層が形成されていてもよい。
このような構成によれば、発光ダイオードの発熱が、基板表面の金属層に伝わり、さらにはスルーホール内面の金属層を介して基板裏面の金属層にも速やかに伝わるので、基板の表面および裏面の金属層から発光ダイオードの発熱を速やかに放散でき、スルホールが形成された領域の放熱性がより一層向上する。
【００１９】
この発明による原稿読取装置において、基板は内部に金属層を有する多層基板であってもよい。
このような構成によれば、発光ダイオードの発熱が基板の内部に積層された金属層を介して基板全体に伝わり、放熱性がより一層向上する。
【００２０】
この発明による原稿読取装置において、各光源部は基板を挟み込んで固定する一対の金属製の固定部材を有していてもよい。
このような構成によれば、基板の表面および裏面に金属製の固定部材が接し、固定部材がヒートシンクとして作用するので、基板の表面および裏面に伝わった発光ダイオードの発熱を金属製の固定部材を介してより速やかに放散でき、放熱性がより一層向上する。
【００２１】
この発明による原稿読取装置において、直列接続された複数の発光ダイオードは副走査方向に沿って並んで配置され、放熱量調整手段は副走査方向の上流側に配置された発光ダイオードよりも副走査方向の下流側に配置された発光ダイオードの放熱が促進されるように放熱量を調整してもよい。
このような構成によれば、各導光部において直列接続され副走査方向に沿って並んで配置された複数の発光ダイオードのうち、副走査方向の上流側よりも下流側に配置された発光ダイオードの放熱が促進されるので、副走査方向の下流側に配置された発光ダイオードは上流側の発光ダイオードよりも低い温度で駆動され、発熱により光量が低下した上流側の発光ダイオードよりも相対的に光量が増大する。
【００２２】
このため、読み取られた原稿画像に影が生じることを防止するために副走査方向の上流側と下流側の双方から原稿を照射しつつ、駆動回路の複雑化を招くことなく上流側よりも下流側の光量を大きく設定でき、原稿後端の読取画像に影が生じることを防止できる。
よって、従来の冷陰極管と比較して、所望の光量に達するまでの立ち上がり時間、消費電力、寿命等の点で有利な発光ダイオードを原稿読取装置の光源に用いつつ、画像読取品位の向上を図ることができる。
【００２３】
この発明による原稿読取装置において、直列接続された複数の発光ダイオードは定電流回路に接続されてもよい。
このような構成によれば、定電流によって発光ダイオードが駆動されるので、発光ダイオードの光量が安定し、また光量設定が行い易くなる。
【００２４】
この発明は別の観点からみると、この発明による上述の原稿読取装置を備えた画像形成装置を提供するものでもある。
この発明による上記の画像形成装置によれば、原稿読取装置が、原稿の画像を読み取る光源として、一定の光量に達するまでの立ち上がり特性、消費電力および寿命等の点で優れた発光ダイオードを光源として備えるので、ウォーミングアップタイムの短縮、消費電力の低減およびメンテナンスの省力化が図られる。
【００２５】
なお、ここで画像形成装置とは、感光体とトナーを用いる電子写真方式または静電記録方式により記録媒体上に画像を形成する画像形成装置全般を意味し、例えば、複写機、プリンター、ファクシミリおよびそれらの複合機などが挙げられる。
【００２６】
以下、図面に基づいてこの発明の実施形態に係る原稿読取装置を備えた画像形成装置について詳細に説明する。なお、以下に説明する複数の実施形態において、共通する部材には同じ符号を付して説明する。
【００２７】
画像形成装置の全体構成と動作
図１は本発明の実施形態に係る原稿読取装置を備えた画像形成装置の全体構成を概略的に示す説明図である。
【００２８】
図１に示されるように、本発明の実施形態に係る画像形成装置１００は、原稿の画像を読み取る画像読取部（原稿読取装置）２、画像読取部２によって読み取られた原稿の画像データに基づいて記録用紙に画像を形成する画像形成部３、画像形成部３に記録用紙を供給する給紙部４とから主に構成されている。
【００２９】
画像読取部２は、透明ガラスからなる原稿載置台１１、原稿載置台１１上に自動的に原稿を供給するための両面対応自動原稿送り装置（ＲＡＤＦ）１２、原稿載置台１１上に載置または搬送された原稿の画像を走査して読み取るための原稿画像読取ユニット、すなわちスキャナユニット１３から構成されている。
【００３０】
ＲＡＤＦ１２は、所定の原稿トレイ上に複数枚の原稿を一度にセットしておき、セットされた原稿を１枚ずつ自動的にスキャナユニット１３の原稿載置台１１上へ送給する公知の装置である。そして、ＲＡＤＦ１２は、使用者の選択に応じて原稿の片面または両面をスキャナユニット１３に読み取らせるように、片面原稿のための搬送経路、両面原稿のための搬送経路、搬送経路切り換え手段などから構成されている。
【００３１】
スキャナユニット１３は、原稿面上を露光するランプリフレクタアセンブリと、原稿からの反射光像を電気的画像信号に変換するＣＣＤ（光電変換素子）１７に導くための第１反射ミラーとを搭載した第１走査ユニット（走査手段）１４、第２反射ミラーおよび第３反射ミラーを搭載した第２走査ユニット１５、および、反射光像をＣＣＤ１７上に結像させるための光学レンズ体１６とから構成されている。
【００３２】
原稿載置台１１上に静止して載置された原稿の画像を読み取る原稿静止方式の場合、第１走査ユニット１４は原稿載置台１１の下面に沿って図１中を左から右へ（副走査方向に沿って）一定速度Ｖで走行し、第２走査ユニット１５はＶ／２の速度で同一方向に走行するように走査制御される。
一方、複数枚の原稿をＲＡＤＦ１２によって連続的に搬送して原稿画像を順次読み取る原稿移動方式の場合、読み取られるべき原稿はＲＡＤＦ１２によって原稿載置台１１上の所定位置を連続的に通過させられ、第１走査ユニット１４および第２走査ユニット１５は、図１に示される位置に静止したまま通過する原稿に光を照射して原稿の画像を読み取る。
原稿静止方式および原稿移動方式のいずれの場合も、スキャナユニット１３は、光照射された原稿の画像を１ライン毎に順次ＣＣＤ１７に結像させて原稿の画像を読み取る。
【００３３】
原稿画像をスキャナユニット１３で読み取ることにより得られた画像データは、各種処理が施された後、メモリに一旦記憶され、出力指示に応じてメモリから画像データを画像形成部３に出力され、感光体ドラム２２上にトナー像として顕像化された後、記録用紙上に転写される。
この画像形成部３は、レーザ書込みユニット（ＬＳＵ）２１および画像を形成するための電子写真プロセス部２０を備えている。
【００３４】
レーザ書込ユニット２１は、メモリから読み出した画像データまたはパーソナルコンピュータ等の外部機器から転送されてきた画像データに応じてレーザ光を出射する半導体レーザ、レーザ光を等角速度偏向するポリゴンミラー、等角速度偏向されたレーザ光が電子写真プロセス部２０の感光体ドラム２２上を等速度で走査するように補正するｆ−θレンズ等を有している。
電子写真プロセス部２０は周知の態様に従い、感光体ドラム２２の周囲に帯電装置２３、現像装置２４、転写装置２５、クリーニング装置２７を配置し、さらに感光体ドラム２２の下流側に定着装置２８を配置して構成される。
【００３５】
給紙部４は、第１カセット３１、第２カセット３２、第３カセット３３および手差しトレイ３５を有している。給紙搬送部３８は、給紙部４から感光体ドラム２２と転写装置２５との間の転写位置へ所定のタイミングで記録用紙を搬送するために、給紙ローラ、搬送ローラ、レジストローラを備えている。
この給紙部４における第１、第２および第３カセット３１，３２，３３内の３つのトレイには、サイズ毎に記録用紙が積載されて収容されており、使用者が所望するサイズの記録用紙が収容されているカセット、あるいはトレイを選択すると、そのトレイ内の記録用紙束の上から１枚ずつ送り出され、給紙搬送部３８の搬送経路を経由して順次電子写真プロセス部２０へ搬送される。定着装置２８より用紙搬送方向下流側には用紙排出路２９が設けられている。
【００３６】
レーザ書込ユニット２１および電子写真プロセス部２０において、メモリから読み出された画像データは、レーザ書込ユニット２１によってレーザ光線を走査することにより感光体ドラム２２の表面上に静電潜像として形成され、現像装置２４のトナーにより顕像化される。
顕像化された感光体ドラム２２表面のトナー像は給紙部４から搬送されてきた記録用紙の表面へ転写装置２５により静電転写され、定着装置２８によって記録用紙上に定着される。
【００３７】
このようにして画像が形成された記録用紙は定着装置２８から積載トレイ６３へ送られるか、或いは、両面複写のための再給紙搬送部４２へ選択的に搬送される。
詳しくは、片面に画像が形成された記録用紙は、定着装置２８を経て搬送ローラ６１によりさらに図１中の上方へ搬送され、切換ゲート９を通過する。そして、反転ローラ６２により一旦、記録用紙を積載トレイ６３へ向けて排出された後、逆転する反転ローラ６２によって再給紙搬送部４２へ搬送される。この際、切換ゲート９は図１中の上向きから下向きに切り換えられる。
両面複写のために再給紙搬送部４２に送られた記録用紙は、ここで表裏が反転された後、再び電子写真プロセス部２０へ搬送されて記録用紙の裏面に画像が形成され、定着後、積載トレイ６３へ排出される。
【００３８】
画像読取部（原稿読取装置）の構成
本発明の実施形態に係る上述の画像形成装置１００に設けられた画像読取部（原稿読取装置）２の構成について図２〜１１に基づいて説明する。
【００３９】
図２は画像読取部に設けられた第１走査ユニットの斜視図、図３は図２に示される第１走査ユニットの端部の要部拡大図、図４は図３に示される第１走査ユニットの端部から導光板を取り除いた光源部の説明図、図５は図４に示される光源部から第２固定部材を取り除いた説明図、図６は図４に示される光源部から第２固定部材と基板を取り除いた説明図、図７は原稿載置台の下方で第１走査ユニットが副走査方向に移動する様子を示す説明図、図８は図５に示される基板を正面からみた説明図、図９は図４に示される光源部の第２発光ダイオード近傍の断面図、図１０は図４に示される光源部の第１発光ダイオード近傍の断面図、図１１は図８に示される第１および第２発光ダイオードを駆動する定電流回路を示す回路図である。
【００４０】
図７に示されるように、画像読取部（原稿読取装置）２（図１参照）は、読取開始位置から読取終了位置へ向かう副走査方向Ｂと直交する主走査方向Ａに沿って原稿の画像を順次ライン状に走査する第１走査ユニット（走査手段）１４を備えている。
図２に示されるように、第１走査ユニット１４は、主走査方向Ａの両端に互いに対向するように設けられた光源部７１，７２と、対向する光源部７１，７２の間に主走査方向Ａに沿って延び光源部７１，７２から発せられた光を主走査方向Ａに導く第１導光板７３および第２導光板７４を有している。
【００４１】
以下、光源部７１，７２について説明するが、第１操作ユニット１４の両端に設けられた光源部７１，７２は互いに同様の構成を有するので、一方の光源部７１を例にとって説明する。
【００４２】
図３〜６に示されるように、第１走査ユニット１４の端に設けられた光源部７１は、直列接続された第１発光ダイオード７５および第２発光ダイオード７６を共通に搭載する基板７７と、基板７７を挟み込んで固定し第１および第２導光板７３，７４に対する第１および第２発光ダイオード７５，７６の位置決めを図る一対の第１固定部材７８および第２固定部材７９とから構成されている。
【００４３】
基板７７を挟み込んで固定する第１および第２固定部材７８，７９は、いずれも熱伝導性に優れたアルミニウムで形成されている。
図４に示されるように、第２固定部材７９は、第１および第２導光板７３，７４（図３参照）の端が嵌め入れられる凹部７９ａ，７９ｂがそれぞれ形成されている。
第１および第２導光板７３，７４の端が凹部７９ａ，７９ｂにそれぞれ嵌め入れられ、位置決めされることにより、第１および第２導光板７３，７４の端面が基板７７に搭載された第１および第２発光ダイオード７５，７６（図５参照）とそれぞれ対向するようになる。
これにより、第１および第２発光ダイオード７５，７６の発光が第１および第２導光板７３，７４に沿って主走査方向Ａにそれぞれ導かれる。
【００４４】
図５および図８に示されるように、基板７７は副走査方向Ｂに沿って並ぶように第１および第２発光ダイオード７５，７６を搭載している。
第２発光ダイオード７６は、第１発光ダイオード７５よりも副走査方向Ｂの下流側に配置され、第２発光ダイオード７６の周囲には放熱量調整手段として複数のスルーホール８０が形成されている。
【００４５】
上述のとおり、原稿後端の読取画像に影が生じないようにするためには、図７に示されるように、副走査方向Ｂの上流側と下流側の双方から原稿に光を照射し、なおかつ、副走査方向Ｂの下流側から照射される光Ｌ２の光量が上流側から照射される光Ｌ１の光量よりも大きくなるように光量が設定されなければならない。
このため、本実施形態では、副走査方向Ｂの下流側に配置された第２発光ダイオード７６の周囲に複数のスルーホール８０を形成し、第２発光ダイオード７６の放熱が第１発光ダイオード７５よりも促進されるように放熱量を調整している。
というのは、上述のとおり、発光ダイオードには発熱によって光量が低下する性質があり、第２発光ダイオード７６の放熱を促進して第１発光ダイオード７５よりも低い温度で駆動させることができれば、第２発光ダイオード７６の光量を、発熱により光量が低下した第１発光ダイオード７５の光量よりも相対的に大きくすることができるからである。
【００４６】
図９に示されるように、第２発光ダイオード７６は基板７７上に形成された配線パターン８１に実装されている。上述のとおり、第２発光ダイオード７６の周囲には複数のスルーホール８０が形成され、複数のスルーホール８０が形成された領域の基板７７の表面には、配線パターン８１を避けるように放熱用の金属層８２が形成されている。
また、複数のスルーホール８０が形成された領域の基板７７の裏面にも放熱用の金属層８３が形成され、スルーホール８０の内面に形成された金属層８４を介して表面側の金属層８２と裏面側の金属層８３が接続されている。
さらに、基板７７は多層基板であり、内層として金属層８５が積層されている。この金属層８５もスルーホール８０内面の金属層８４と接続されている。
【００４７】
以上のような構成により、第２発光ダイオード７６の発熱は、基板７７の表面に形成された金属層８２に伝わり、さらにはスルーホール８０の内面の金属層８４を介して基板７７の裏面の金属層８３にも速やかに伝わる。
また、第２発光ダイオード７６の発熱は基板７７の表面の金属層８２およびスルーホール８０の内面の金属層８４を介して基板７７の内部の金属層８５へも伝わり、第２発光ダイオード７６の発熱は基板７７全体に拡散される。
【００４８】
そして、上述のとおり、基板７７はアルミニウム製の第１および第２固定部材７８，７９によって挟まれて固定されているので、基板７７の表面の金属層８２と基板７７の裏面の金属層８３は第１および第２固定部材７８，７９とそれぞれ接する。
このため、基板７７の表面の金属層８２と裏面の金属層８３に伝わった第２発光ダイオード７６の発熱は熱伝導性に優れた第１および第２固定部材７８，７９に速やかに伝わり、第１および第２固定部材７８，７９から外部に放熱される。
この結果、第２発光ダイオード７６の発熱は速やかに放熱され、第２発光ダイオード７６が光量の低下をきたすことはない。
【００４９】
一方、図１０に示されるように、副走査方向Ｂ（図８参照）の上流側に配置された第１発光ダイオード７５の周囲にはスルーホールが形成されず、また、放熱用の金属層も形成されていない。
このため、第１発光ダイオード７５の発熱は周囲に伝わり難く、第１発光ダイオード７５の近傍に留まり、第１発光ダイオード７５は温度上昇による光量の低下をきたす。
【００５０】
このように、第２発光ダイオード７６の周囲に放熱量調整手段として複数のスルーホール８０を形成し、スルーホール８０形成領域の基板７７の表面と裏面に金属層８２，８３をそれぞれ形成することにより、第２発光ダイオード７６の放熱性を第１発光ダイオード７５よりも高めることができる。
この結果、第２発光ダイオード７６を第１発光ダイオード７５よりも低い温度で駆動することができ、第２発光ダイオード７６の光量は、温度上昇により光量の低下をきたした第１発光ダイオード７５よりも相対的に大きくなる。
これにより、図７に示されるように、副走査方向Ｂの下流側から照射される光Ｌ２の光量を上流側から照射される光Ｌ１の光量よりも大きくすることができ、原稿後端の読取画像に影が生じることを防止できる。
【００５１】
なお、図１１に示されるように、第１発光ダイオード７５と第２発光ダイオード７６は直列接続され定電流回路に接続されている。第１発光ダイオード７５および第２発光ダイオード７６に流れる電流値ｉは比較器８６にフィードバックされて、Ｖｒｅｆ＝ｉｒとなるよう、比較器８６によりトランジスタ８７が駆動される。これにより、第１発光ダイオード７５および第２発光ダイオード７６が定電流駆動される。
【００５２】
本発明では、上述のとおり、複数の発光ダイオードの放熱量を発光ダイオード毎に調整することにより、直列接続された発光ダイオードの光量を発光ダイオード毎に調整する。このため、複数の発光ダイオードの光量を調整するために複数の定電流回路が必要となることもなく、駆動回路の大規模化や複雑化を招かずに済む。
【図面の簡単な説明】
【００５３】
【図１】この発明の実施形態に係る画像形成装置の全体構成を概略的に示す説明図である。
【図２】図１に示される画像形成装置の画像読取部に設けられた第１走査ユニットの斜視図である。
【図３】図２に示される第１走査ユニットの端部の要部拡大図である。
【図４】図３に示される第１走査ユニットの端部から導光板を取り除いた光源部の説明図である。
【図５】図４に示される光源部から第２固定部材を取り除いた説明図である。
【図６】図４に示される光源部から第２固定部材と基板を取り除いた説明図である。
【図７】図２に示される第１走査ユニットが原稿載置台の下方で副走査方向に移動する様子を示す説明図である。
【図８】図５に示される基板を正面からみた説明図である。
【図９】図４に示される光源部の第２発光ダイオード近傍の断面図である。
【図１０】図４に示される光源部の第１発光ダイオード近傍の断面図である。
【図１１】図８に示される第１および第２発光ダイオードを駆動する定電流回路を示す回路図である。
【図１２】一般に、原稿後端部の読取画像に影が生じないように原稿を露光するうえで好ましくない例を示す説明図である。
【図１３】一般に、原稿後端部の読取画像に影が生じないように原稿を露光するうえで好ましい例を示す説明図である。
【符号の説明】
【００５４】
２・・・画像読取部（原稿読取装置）
３・・・画像形成部
４・・・給紙部
９・・・切換ゲート
１１・・・原稿載置台
１２・・・両面対応自動原稿送り装置（ＲＡＤＦ）
１３・・・スキャナユニット
１４・・・第１走査ユニット（走査手段）
１５・・・第２走査ユニット
１６・・・光学レンズ体
１７・・・ＣＣＤ
２０・・・電子写真プロセス部
２１・・・レーザ書込みユニット（ＬＳＵ）
２２・・・感光体ドラム
２３・・・帯電装置
２４・・・現像装置
２５・・・転写装置
２７・・・クリーニング装置
２８・・・定着装置
２９・・・用紙排出路
３１・・・第１カセット
３２・・・第２カセット
３３・・・第３カセット
３５・・・手差しトレイ
３８・・・給紙搬送部
４２・・・再給紙搬送部
６１・・・搬送ローラ
６２・・・反転ローラ
６３・・・積載トレイ
７１，７２・・・光源部
７３・・・第１導光板
７４・・・第２導光板
７５・・・第１発光ダイオード
７６・・・第２発光ダイオード
７７・・・基板
７８・・・第１固定部材
７９・・・第２固定部材
７９ａ，７９ｂ・・・凹部
８０・・・スルーホール
８１・・・配線パターン
８２，８３，８４，８５・・・金属層
８６・・・比較器
８７・・・トランジスタ
１００・・・画像形成装置
Ａ・・・主走査方向
Ｂ・・・副走査方向
Ｄ・・・原稿
Ｅ・・・後端部
Ｌ１，Ｌ２・・・光
【図１】
2010068031.tif 000003
【図２】
2010068031.tif 000004
【図３】
2010068031.tif 000005
【図４】
2010068031.tif 000006
【図５】
2010068031.tif 000007
【図６】
2010068031.tif 000008
【図７】
2010068031.tif 000009
【図８】
2010068031.tif 000010
【図９】
2010068031.tif 000011
【図１０】
2010068031.tif 000012
【図１１】
2010068031.tif 000013
【図１２】
2010068031.tif 000014
【図１３】
2010068031.tif 000015